(57)【特許請求の範囲】
【請求項１】
自身のモードを、通常モードあるいはセーブモードに設定できるようになっている情報処理装置において、
表示部と、
駆動状態に応じて、上記通常モードあるいは上記セーブモードのいずれかに設定するモード制御部と、
広告データを記憶装置または外部から取得する表示情報制御部と、
表示情報制御部が取得した広告データを上記表示部に表示させる表示制御部と、
上記モード制御部が通常モードからセーブモードにモード変更する際に、上記モード制御部に対して当該モード変更を停止させ、上記表示情報制御部に対して広告データの取得を指示するとともに、上記表示制御部が広告データを表示した後、上記モード制御部に対してモード変更させる基本制御部とを備えていることを特徴とする情報処理装置。
【請求項２】
外部装置との間でデータの送受信を行う通信部を備え、
上記基本制御部は、上記モード制御部が通常モードからセーブモードにモード変更する際に、上記通信部を制御して、広告データを保持している外部のサーバーに広告データを要求し、当該サーバから送信された広告データを上記表示情報制御部に伝達することを特徴とする請求項１に記載の情報処理装置。
【請求項３】
上記基本制御部は、上記サーバから送信された広告データを、いったん記憶装置に記憶させ、上記表示制御部が表示した後に、破棄することを特徴とする請求項２に記載の情報処理装置。
【請求項４】
上記サーバーから送信され、表示部においていったん表示された広告データの再取得を望む再送指示を検知し、検知した再送指示を上記基本制御部に伝達する再送指示検出部を備えており、
上記基本制御部は、上記再送指示検出部から伝達された再送指示に応じて、該当する広告データの再送要求信号を上記サーバーに送信し、上記サーバから該広告データを再取得することを特徴とする請求項２に記載の情報処理装置。
【請求項５】
ユーザーの指示により、広告データの表示頻度を定める頻度条件を設定する頻度条件設定部を備え、
上記基本制御部は、上記頻度条件設定部が設定した頻度条件に従って広告データの表示を行うことを特徴とする請求項１または２に記載の情報処理装置。
【請求項６】
広告データの内容あるいは表示方法の少なくとも一方を指定する表示条件を、ユーザーの指示によりあらかじめ設定する表示条件設定部を備え、
上記基本制御部は、上記表示条件設定部が設定した表示条件に応じた広告データを上記表示条件制御部に取得させることを特徴とする請求項１または２に記載の情報処理装置。
【請求項７】
ユーザーによる広告データ表示の中止指示を検出する中止指示検出部を備え、
上記基本制御部は、上記中止指示検出部が検出した中止指示に応じて広告データの表示を中止することを特徴とする請求項１または２に記載の情報処理装置。
【請求項８】
請求項２に記載の情報処理装置と通信可能に設定されており、
広告データを記憶している広告データ記憶部と、
上記情報処理装置のユーザから予め取得しているユーザの個人情報を含むユーザ情報を記憶するユーザ情報記憶部と、
上記情報処理装置からの広告データの要求に応じて、上記広告データ記憶部から広告データを選択するとともに、当該情報処理装置の上記ユーザ情報に基づいて、広告データの表示形態を選択する広告データ設定部と、
上記広告データ設定部が選択した広告データを上記広告データ記憶部から読み出し、読み出した広告データと、上記広告データ設定部が選択した表示形態を含む表示方法データとを上記情報処理装置に送信する広告データ送信部とを備えていることを特徴とするサーバー。
【請求項９】
請求項２に記載の情報処理装置と、
この情報処理装置と通信可能に設定されており、広告データを記憶している広告データ記憶部と、上記情報処理装置からの要求に応じて、情報処理装置に送信すべき広告データを選択し、当該送信すべき広告データを上記広告データ記憶部から読み出すとともに、読み出した広告データを上記情報処理装置に送信する広告データ送信制御部とを備えているサーバーとを含むことを特徴とするネットワークシステム。
【請求項１０】
自身のモードを、通常モードあるいはセーブモードに設定できるようになっている情報処理装置における広告データ表示方法において、
上記情報処理装置が、表示部と、モード制御部と、表示情報制御部と、表示制御部と、基本制御部とを備えており、
上記モード制御部が、駆動状態に応じて、上記通常モードあるいは上記セーブモードのいずれかに設定するモード制御工程と、
上記表示情報制御部が、広告データを記憶装置または外部から取得する広告データ取得工程と、
上記表示制御部が、上記表示情報制御部が取得した広告データを上記表示部に表示させる広告データ表示工程と、
上記モード制御部が通常モードからセーブモードにモード変更する際に、上記基本制御部が、上記モード制御部に対して当該モード変更を停止させ、上記表示情報制御部に対して広告データの取得を指示するとともに、上記表示制御部が広告データを表示した後、上記モード制御部に対してモード変更させる制御工程とを含むことを特徴とする広告データ表示方法。
【請求項１１】
上記情報処理装置は、外部装置との間でデータの送受信を行う通信部を備え、
上記制御工程において、上記基本制御部は、上記モード制御部が通常モードからセーブモードにモード変更する際に、上記通信部を制御して、広告データを保持している外部のサーバーに広告データを要求し、当該サーバから送信された広告データを上記表示情報制御部に伝達することを特徴とする請求項１０に記載の広告データ表示方法。
【請求項１２】
請求項２に記載の情報処理装置と通信可能に設定されているサーバーにおける広告データ送信方法であって、
上記サーバーが、広告データを記憶している広告データ記憶部と、上記情報処理装置のユーザから予め取得しているユーザの個人情報を含むユーザ情報を記憶するユーザ情報記憶部と、広告データ設定部と、広告データ送信部とを備えており、
上記広告データ設定部が、上記情報処理装置からの広告データの要求に応じて、上記広告データ記憶部から広告データを選択するとともに、当該情報処理装置の上記ユーザ情報に基づいて、広告データの表示形態を選択する広告データ設定工程と、
上記広告データ送信部が、上記広告データ設定部が選択した広告データを上記広告データ記憶部から読み出し、読み出した広告データと、上記広告データ設定部が選択した表示形態を含む表示方法データとを上記情報処理装置に伝達する広告データ送信工程とを含むことを特徴とする広告データ送信方法。
【請求項１３】
請求項１から７のいずれか１項に記載の情報処理装置の上記基本制御部および上記表示情報制御部の機能をコンピュータに実現させるためのプログラムを記録したコンピュータ読み取り可能な記録媒体。
【請求項１４】
請求項８に記載のサーバーの上記広告データ設定部および上記広告データ送信部の機能をコンピュータに実現させるためのプログラムを記録したコンピュータ読み取り可能な記録媒体。
【発明の詳細な説明】
【０００１】
【発明の属する技術分野】
本発明は、広告データを表示する情報処理装置、この情報処理装置に広告データを送信するサーバー、および、これら情報処理装置およびサーバーを含むネットワークシステム等に関するものである。
【０００２】
【従来の技術】
従来、外部入力のない状態が一定時間続いた場合、パーソナルコンピューター（パソコン）をセーブモードとするシステムが開発されている。ここで、セーブモードとは、モニター（スクリーン）に動画を表示させる（スクリーンセーブ）、あるいは、ハードディスクの回転を停止させて消費電力を抑える（パワーセーブ）等の措置をとることである。
【０００３】
例えば、特開平１０−１４９３２８号公報には、パソコンをセーブモード（スクリーンセーブ）としたときに、スクリーン上にメッセージを表示できるシステムが開示されている。また、このシステムでは、パソコン上でのメッセージ表示制御を、ＬＡＮで接続されたメインコンピューターによって制御できるようになっている。
【０００４】
また、上記したスクリーンセーブのような動画表示、すなわち、ユーザーの入力によらない動画表示は、セーブモードだけでなく、待機時間における広告表示（広告データ表示）にも利用されている。
【０００５】
例えば、特開平１０−２５４９６６号公報には、パソコンをインターネットに接続する際、接続完了までの待機時間に、パソコン上に広告画面（広告情報）を表示できるネットワークシステムが開示されている。
このような広告データ表示により、このシステムでは、待機時間を有効に活用できるようになっている。さらに、このシステムでは、表示する広告をあらかじめパソコン上に記憶させておき、随時更新させるように設定されている。
【０００６】
また、特開平１１−３０７２号公報に記載のシステムでは、ＰＨＳ（Personal Handy phone System ；登録商標）によるインターネット接続において、上記と同様の広告データ表示を行えるようになっている。
【０００７】
【発明が解決しようとする課題】
しかしながら、上記したような従来の広告データ表示では、端末（パソコンやＰＨＳ）をインターネットに長時間接続する場合、広告データ表示の頻度が低くなり、広告の効果を上げられないという問題があった。
【０００８】
本発明は、この問題を解決するために成されたものである。そして、その目的は、ユーザーに対して効果的に広告を表示できる情報処理装置，情報処理装置に広告データを供給するためのサーバー，これら情報処理装置およびサーバーを含むネットワークシステム等を提供することにある。
【０００９】
【課題を解決するための手段】
上記の目的を達成するために、本発明の情報処理装置（本情報処理装置）は、自身のモードを、通常モードあるいはセーブモードに設定できるようになっている情報処理装置において、表示部と、駆動状態に応じて、上記通常モードあるいは上記セーブモードのいずれかに設定するモード制御部と、広告データを記憶装置または外部から取得する表示情報制御部と、表示情報制御部が取得した広告データを上記表示部に表示させる表示制御部と、上記モード制御部が通常モードからセーブモードにモード変更する際に、上記モード制御部に対して当該モード変更を停止させ、上記表示情報制御部に対して広告データの取得を指示するとともに、上記表示制御部が広告データを表示した後、上記モード制御部に対してモード変更させる基本制御部とを備えていることを特徴としている。
【００１０】
本情報処理装置は、パーソナルコンピューター，ワークステーション，携帯用通信機（携帯電話等），モバイル装置等に応用されるものであり、個人用あるいは事業用の情報処理装置として利用されるものである。
【００１１】
また、本情報処理装置は、自身の駆動状態に応じて、自身のモードを、通常モードあるいはセーブモードに設定できるようになっている。
ここで、通常モードとは、本情報処理装置における主要な部材に電源の投入された状態であって、外部入力に応じて遅滞なく処理を開始できる状態、あるいは、表示処理以外の何らかの処理を行っている状態のことである。
また、セーブモードとは、通常モードよりも消費電力を小さくしている状態、あるいは、部材の一部の保護を図っている状態のことである。このようなセーブモードには、例えば、一部の部材の電源を切断しているような状態や、画面の焼き付きを防ぐために、表示部に動画像を表示させている状態（スクリーンセーブ）を挙げられる。
【００１２】
そして、本情報処理装置では、自身の駆動状態に応じてモードを切り替えることで、省電力、あるいは部材の保護を図るようになっている。
すなわち、本情報処理装置では、例えば、所定時間以上に渡って外部入力が中断されている場合、または、所定時間以上連続して表示処理以外の処理を行わなかったときに、通常モードからセーブモードに切り替わるように設定できる。これにより、アイドリングによる電力浪費、および、画面の焼き付きを抑制できる。また、セーブモードから通常モードへの切り替え（復帰）は、ユーザーの利便性を考慮して、何らかの外部入力のあったときに行われることが好ましい。
【００１３】
また、本情報処理装置では、広告データを表示するための表示部と、この表示部を制御して広告データを表示させる制御部とを備えている。
【００１４】
ここで、広告データとは、商品・興行物の宣伝や顧客の勧誘，メッセージの伝達を目的とする表示用のデータであり、企業や商店，行政団体，財団等の広告主によって作成・提供されるものである。
そして、本情報処理装置では、制御部が、このような広告データを、内部の記憶装置から読み出して、あるいは、外部から入力して、表示部を用いてユーザーに表示させるように設定されている。
【００１５】
また、特に、本情報処理装置では、制御部が、このような広告データを、モードの切り替え時に表示するようになっている。これにより、本情報処理装置では、ユーザーに対し、非常に効果的に広告データの表示を行える。
【００１６】
すなわち、本情報処理装置では、しばらくのあいだ中断していた本情報処理装置を用いての作業を再開するとき（通常モードへの復帰時）、あるいは、本情報処理装置の前で他の作業をしているとき（セーブモードへの移行時）に、ユーザーに対して広告データを表示できる。
【００１７】
これにより、インターネットへの接続時等に広告データ表示を行う構成に比して、広告データの表示頻度を高められる。また、特に、ユーザーの入力によってセーブモードから通常モードに復帰するときには、ユーザーは、本情報処理装置の前に必ず位置することになる。従って、このときには、ユーザーに対して、広告データを確実に表示することが可能となる。
【００１８】
また、本情報処理装置は、外部装置との間でデータの送受信を行う通信部を備えていることが好ましい。そして、この構成では、基本制御部が、上記モード制御部が通常モードからセーブモードにモード変更する際に、上記通信部を制御して、広告データを保持している外部のサーバーに広告データを要求し、当該サーバから送信された広告データを上記表示情報制御部に伝達することが好ましい。
これにより、外部から得た広告データを用いて広告データ表示を行えるため、広告データをあらかじめ記憶しておく必要がない。従って、広告データの表示を行っていないときには、記憶装置を他の処理に使用できる。
【００１９】
また、この構成では、基本制御部は、上記サーバから送信された広告データを、いったん記憶装置に記憶させ、上記表示制御部が表示した後に、破棄することが好ましい。ここで、広告データの表示の終了は、本情報処理装置あるいは広告データの送信元において設定された所定の表示時間が経過したこと、また、ユーザーの指示により広告データの表示が中止されたことから判断できる。
この構成では、表示を終えた不要な広告データを蓄積しないため、広告データ用の記憶装置の容量を小さくできる。従って、本情報処理装置の製造・運転コストを低減できる。
【００２０】
また、制御部は、広告データの取得および表示を、ストリーミング処理により行うことが好ましい。ここで、このストリーミング処理とは、広告データを外部からダウンロードしながら、表示部において表示させてゆく処理のことである。これにより、広告データ用の記憶装置の容量をさらに小さくできる。
【００２１】
また、外部から広告データを得る場合、本情報処理装置に、サーバーから送信され、表示部においていったん表示された広告データの再取得を望む再送指示（ユーザーによる指示）を検知し、検知した再送指示を上記基本制御部に伝達する再送指示検出部を備えることが好ましい。そして、基本制御部は、上記再送指示検出部から伝達された再送指示に応じて、該当する広告データの再送要求信号を上記サーバーに送信し、上記サーバから該広告データを再取得することが好ましい。
これにより、ユーザーは、資料としての（あるいは著作物としての）広告データを再取得することが可能となる。
【００２２】
また、本情報処理装置に、ユーザーの指示により、広告データの表示頻度を定める頻度条件を設定する頻度条件設定部を備え、基本制御部が、上記頻度条件設定部が設定した頻度条件に従って広告データの表示を行うことが好ましい。
【００２３】
ここで、頻度条件とは、モード変更に対する広告データの表示頻度を定める条件である。すなわち、このような頻度条件を設定することで、ユーザーは、モード変更の度に広告データを表示させることもできる。また、複数回のモード変更を経るまで、広告データを表示しないように設定することも可能となる。
【００２４】
これにより、ユーザーが、広告データに興味を持っていない、あるいは、本情報処理装置を用いての他の処理を早急に実行したい場合等において、広告データの表示頻度を下げられる。従って、ユーザーの利便性を向上できる。
【００２５】
また、本情報処理装置に、広告データの内容あるいは表示方法の少なくとも一方を指定する表示条件を、ユーザーの指示によりあらかじめ設定しておくための表示条件設定部を備えることが好ましい。この場合、基本制御部は、上記表示条件設定部が設定した表示条件に応じた広告データを上記表示条件制御部に取得させることが好ましい。
【００２６】
ここで、広告データの内容とは、広告データにおいて表示している内容物（広告対象）のことである。また、広告データの表示方法とは、表示形態（動画像，静止画像，音声，テキストテロップの組み合わせ方、表示画面上での広告データの表示位置等），表示時間等のことである。
【００２７】
これにより、ユーザーは、興味のある内容の広告データを選んで表示させることが可能となる。また、ユーザーは、画像（音声）だけで広告データを表示する等、自分の望む表示方法で広告データを表示させられる。すなわち、ユーザーの所望とする広告データを表示できるので、広告効果を高められる。
【００２８】
また、本情報処理装置に、ユーザーによる広告データ表示の中止指示を検出する中止指示検出部を備え、基本制御部が、上記中止指示検出部が検出した中止指示に応じて広告データの表示を中止することが好ましい。
これにより、ユーザーが、表示中の広告データに興味を持っていない、あるいは、本情報処理装置を用いての他の処理を早急に実行したい場合等では、広告データの表示を中止できる。従って、ユーザーの利便性を向上できる。
【００２９】
また、本発明のサーバー（本サーバー）は、本情報処理装置に対して外部から広告データを供給するものである。すなわち、本サーバーは、本情報処理装置と通信可能に設定されており、広告データを記憶している広告データ記憶部と、上記情報処理装置のユーザから予め取得しているユーザの個人情報を含むユーザ情報を記憶するユーザ情報記憶部と、上記情報処理装置からの広告データの要求に応じて、上記広告データ記憶部から広告データを選択するとともに、当該情報処理装置の上記ユーザ情報に基づいて、広告データの表示形態を選択する広告データ設定部（広告データ送信制御部）と、上記広告データ設定部が選択した広告データを上記広告データ記憶部から読み出し、読み出した広告データと、上記広告データ設定部が選択した表示形態を含む表示方法データとを上記情報処理装置に送信する広告データ送信部（広告データ送信制御部）とを備えていることを特徴としている。
【００３０】
このような本サーバーを用いることにより、本情報処理装置に対する広告データの供給を容易に行うことが可能となる。
また、本情報処理装置と本サーバーとを通信可能に組み合わせることで、広告データを効果的に表示できるネットワークシステムを構築できる。
【００３１】
ユーザー情報とは、ユーザーの個人情報と、本情報処理装置に対する広告データの表示履歴情報との少なくともいずれかを含む情報のことである。
ここで、ユーザーの個人情報とは、例えば、本情報処理装置のユーザーとなりえる人（本情報処理装置の設置されている家庭の構成員等）の国籍，年齢，性別，障害の有無等のことであり、本サーバーにあらかじめ伝達されている情報のことである。また、この個人情報には、本情報処理装置のユーザーと本サーバーの管理者との間で定められた、広告内容の制約に関する情報や利用ウェブサイト・コンテンツの情報等が含まれていてもよい。
また、表示履歴情報とは、本情報処理装置から過去に送信された広告データに関する統計的な情報のことである。
これにより、本サーバーは、本情報処理装置のユーザーの好みに応じた広告データを本情報処理装置に提供できるので、広告効果を向上させられる。
【００３２】
また、本情報処理装置が、表示条件に基づいて広告データ表示を行うように設定されている場合、本サーバーは、広告データ設定制御部が、本情報処理装置から送信された表示条件に基づいて、本情報処理装置に提供（送信）する広告データを決定するように設定されていることが好ましい。これにより、表示条件に基づいた広告データ表示を容易に実現できる。
【００３３】
また、本サーバーは、本情報処理装置を外部ネットワークに接続させるためのプロバイダーとしての機能を有していることが好ましい。そして、この場合には、本サーバーに、所定期間中に情報処理装置において表示された広告データの総量である広告総量を算出し、この広告総量に応じて、情報処理装置に請求する接続料金を減額する接続料計算部を備えていることがさらに好ましい。
【００３４】
この構成では、本情報処理装置のユーザーは、本サーバーをプロバイダーとして利用するために、本サーバーの管理者に対して、接続料金を支払うように設定されている。そして、特に、この構成では、本情報処理装置において表示された広告データの総量（表示時間あるいは表示回数の総量）に応じて、接続料金を減額するようになっている。
これにより、ユーザーが広告データをより積極的に表示させる（参照する）ようになるので、広告効果をさらに向上できる。
【００３５】
また、この構成では、接続料計算部は、本情報処理装置において完全に表示できなかった広告データのある場合には、この広告データの表示量を広告総量から削除するように設定されていることが好ましい。
【００３６】
広告データの表示時、ユーザーの判断による表示の中止、あるいは、ネットワークのトラブルによるデータ送信の中断等により、広告データを完全に表示できないこともある。そこで、上記の構成では、接続料金の減額対象となる広告総量から、完全に表示できなかった広告データに関する量を削除するように設定されている。これにより、広告データの減額を適正に行える。
【００３７】
また、本発明の広告データ表示方法（本表示方法）は、通常モードあるいはセーブモードに設定できるようになっている情報処理装置における広告データ表示方法であって、情報処理装置が、表示部と、モード制御部と、表示情報制御部と、表示制御部と、基本制御部とを備えており、上記モード制御部が、駆動状態に応じて、上記通常モードあるいは上記セーブモードのいずれかに設定するモード制御工程と、上記表示情報制御部が、広告データを記憶装置または外部から取得する広告データ取得工程と、上記表示制御部が、上記表示情報制御部が取得した広告データを上記表示部に表示させる広告データ表示工程と、上記モード制御部が通常モードからセーブモードにモード変更する際に、上記基本制御部が、上記モード制御部に対して当該モード変更を停止させ、上記表示情報制御部に対して広告データの取得を指示するとともに、上記表示制御部が広告データを表示した後、上記モード制御部に対してモード変更させる制御工程とを含むことを特徴としている。
本表示方法は、上記した本情報処理装置において用いられている広告データ表示方法である。すなわち、本表示方法では、情報処理装置におけるモードの切り替え時に、広告データを表示するようになっている。これにより、ユーザーに対し、非常に効果的に広告データの表示を行える。
【００３８】
すなわち、本表示方法では、しばらくのあいだ中断していた情報処理装置を用いての作業を再開するとき、あるいは、情報処理装置の前で他の作業をしているとき（セーブモードへの移行時）に、ユーザーに対して広告データを表示できる。これにより、インターネットへの接続時等に広告データ表示を行う構成に比して、広告データの表示頻度を高められる。
【００３９】
また、特に、ユーザーの入力によってセーブモードから通常モードに復帰するときには、ユーザーは、本情報処理装置の前に必ず位置することになる。従って、このときには、ユーザーに対して、広告データを確実に表示することが可能となる。
【００４０】
また、本表示方法は、外部装置との間でデータの送受信を行う通信部を用いて、制御工程において、上記基本制御部は、上記モード制御部が通常モードからセーブモードにモード変更する際に、上記通信部を制御して、広告データを保持している外部のサーバーに広告データを要求し、当該サーバから送信された広告データを上記表示情報制御部に伝達することが好ましい。
これにより、外部から得た広告データを用いて広告データ表示を行えるため、広告データをあらかじめ記憶しておく必要がない。従って、広告データの表示を行っていないときには、情報処理装置の記憶装置を他の処理に使用できる。なお、この方法では、広告データの取得・表示を、上記したストリーミング処理を用いて行うことが好ましい。
【００４１】
また、本発明の広告データ送信方法（本送信方法）は、本情報処理装置に広告データを送信するための広告データ送信方法であって、上記サーバーが、広告データを記憶している広告データ記憶部と、上記情報処理装置のユーザから予め取得しているユーザの個人情報を含むユーザ情報を記憶するユーザ情報記憶部と、広告データ設定部と、広告データ送信部とを備えており、上記広告データ設定部が、上記情報処理装置からの広告データの要求に応じて、上記広告データ記憶部から広告データを選択するとともに、当該情報処理装置の上記ユーザ情報に基づいて、広告データの表示形態を選択する広告データ設定工程と、上記広告データ送信部が、上記広告データ設定部が選択した広告データを上記広告データ記憶部から読み出し、読み出した広告データと、上記広告データ設定部が選択した表示形態を含む表示方法データとを上記情報処理装置に伝達する広告データ送信工程とを含むことを特徴としている。
【００４２】
本送信方法は、上記した本サーバーにおいて用いられている広告データ送信方法である。本送信方法を用いることにより、本情報処理装置に対する広告データの供給を容易に行うことが可能となる。
【００４３】
また、本発明の記録媒体は、上記情報処理装置の上記基本制御部および上記表示情報制御部の機能をコンピュータに実現させるためのプログラムを記録したコンピュータ読み取り可能な記録媒体である。
【００４４】
また、本発明の記録媒体は、上記サーバーの上記広告データ設定部および上記広告データ送信部の機能をコンピュータに実現させるためのプログラムを記録したコンピュータ読み取り可能な記録媒体である。
【００４５】
また、本発明の広告データ表示処理のためのコンピュータープログラムを記録した記録媒体は、駆動状態に応じて、自身のモードを通常モードあるいはセーブモードに設定できるようになっている情報処理装置に広告を表示する広告データ表示処理のためのコンピュータープログラムを記録した記録媒体であって、上記情報処理装置のモードの切り替わり時に、この情報処理装置の表示部によって、広告データの表示を行うことを特徴とする広告データ表示処理のためのコンピュータープログラムを記録した記録媒体である。
【００４６】
また、本発明の広告データ表示処理のためのコンピュータープログラムを記録した記録媒体は、駆動状態に応じて、自身のモードを通常モードあるいはセーブモードに設定できるようになっている情報処理装置に広告を表示する広告データ表示処理のためのコンピュータープログラムを記録した記録媒体であって、上記情報処理装置のモードの切り替わり時に、外部装置との間でデータの送受信を行う通信部を用いて、広告データを保持している外部のサーバーから広告データを取得し、上記の情報処理装置における表示部によって、上記広告データの表示を行うことを特徴とする広告データ表示処理のためのコンピュータープログラムを記録した記録媒体である。
【００４７】
また、本発明の広告データ送信処理を行うためのコンピュータープログラムを記録した記録媒体は、本情報処理装置に広告データを送信するための広告データ送信処理を行うためのコンピュータープログラムを記録した記録媒体であって、本情報処理装置からの要求に応じて、本情報処理装置に広告データを送信することを特徴とする広告データ送信処理のためのコンピュータープログラムを記録した記録媒体である。
【００４８】
これらのような記録媒体を、パーソナルコンピューター等の一般的な情報処理装置における制御装置（演算装置）に読み込ませることにより、上記した本広告データ表示方法や広告データ送信方法を容易に実現できる。
【００４９】
【発明の実施の形態】
本発明の一実施の形態について説明する。
図２は、本実施の形態にかかるネットワークシステム（本システム）の構成を示す説明図である。
【００５０】
この図に示すように、本システムは、端末機器１１，サーバー１２，広告サーバー１３，バックボーン１４から構成されている。
【００５１】
端末機器１１は、ユーザー（利用者）側の情報機器（パーソナルコンピューター，ワークステーション，携帯用通信機（携帯電話等），モバイル装置など）であり、通信路ＴおよびアクセスポイントＡＰを介して、サーバー１２にネットワーク接続されている。
また、端末機器１１は、本システムのサーバー１２から送信された広告データ（コマーシャルデータ）を表示する機能も有している（この機能については後述する）。
【００５２】
サーバー１２は、プロバイダー（広告情報提供者）側の情報機器であり、サーバー１２の管理下から外れた他のネットワークであるバックボーン１４と端末機器１１との接続を実現するための中継装置である。
また、サーバー１２は、端末機器１１に対して広告データを送信する機能も有している（この機能については後述する）。
【００５３】
広告サーバー１３は、広告主から提供された広告データを、大量に蓄積しておくためのサーバーであり、大容量ディスクシステムを含むストレージシステムを有するものである。
【００５４】
なお、本システムでは、これらサーバー１２および広告サーバー１３は、一体的に構成されている。そこで、以下では、サーバー１２を、広告サーバー１３を含むものとして記載する。
【００５５】
通信路Ｔは、デジタル方式の公衆通信回線である。本システムでは、この通信路Ｔを介しての送受信を、通常、一定容量のデータセット（パケット）を用いて行うようになっている。
【００５６】
ここで、端末機器１１の構成について説明する。図１は、本システムにおける端末機器１１の構成を示す説明図である。この図に示すように、端末機器１１は、入力部２１，入力制御部２２，基本制御部２３，表示情報制御部２４，表示条件記憶部２５，表示情報一時記憶部２６，表示制御部２７，表示部２８，通信部２９，モード制御部３０を備えている。
【００５７】
入力部２１は、キーボード，マウス，タッチパッドを備え、ユーザーの指示入力を受け付けるものである。入力制御部２２は、入力部２１に入力されたユーザーの指示を所定形式のデータに変換し、基本制御部２３に伝達するためのインターフェースである。
【００５８】
基本制御部２３は、端末機器１１の全動作を制御するものであり、端末機器１１の中枢部である。
すなわち、基本制御部２３は、ユーザーの指示や設定に応じて端末機器１１の各部材を制御し、表示，演算，記憶，モードの変更等の所定の処理を行わせるものである。
【００５９】
例えば、基本制御部２３は、端末機器１１の電源投入（遮断）時、端末機器１１の起動（終了）ルーチンを実行して、端末機器１１の立ち上げ（立ち下げ）を行うようになっている。さらに、端末機器１１に備えられている各種のメモリ（磁気メモリ，光メモリ，光磁気メモリ等；全て図示せず）や、端末機器１１に付属する周辺機器（図示せず）の制御、アプリケーションソフトの実行制御等を行うように設定されている。
また、特に、基本制御部２３は、所定のタイミングでサーバー１２に広告データを要求し、サーバー１２から送信された広告データを表示させる機能も有している。
【００６０】
表示条件記憶部２５は、端末機器１１のユーザーによって設定される、広告データの表示条件を記憶するためのものである。なお、この表示条件については後述する。
通信部２９は、端末機器１１と外部とにおける通信路Ｔを介したデータ通信を実現するための通信インターフェースである。
【００６１】
表示部２８は、スピーカーを備えた表示画面であり、ユーザーに対し、端末機器１１で作成されたデータや、サーバー１２から送信された広告データ等の表示を行うための表示装置である。
【００６２】
表示制御部２７は、表示にかかるデータ（表示データ）を、表示部２８において表示可能な形態に変換し、表示部２８に伝達するものである。表示情報一時記憶部２６は、表示データを一時的に記憶しておくためのメモリである。
【００６３】
表示情報制御部２４は、基本制御部２３の指示に応じて、表示データの伝達や変換を行うものである。
すなわち、表示情報制御部２４は、基本制御部２３において表示を指示されたデータを、表示情報一時記憶部２６や他の記憶装置（ハードディスク等；図示せず）から取り出し、表示制御部２７に伝達するものである。また、表示情報制御部２４は、外部から伝達された特殊形式のデータを、端末機器１１における標準的な形式に変換し、表示データとして表示制御部２７に伝達したり、表示情報一時記憶部２６等の記憶装置に記憶させたりする機能も有している。
また、表示情報制御部２４は、サーバー１２から送信された広告データの表示を制御する機能も有している。
【００６４】
モード制御部３０は、ユーザーの使用状態、および、自身（端末機器１１）の駆動状態に応じて、端末機器１１を、通常モードあるいはセーブモードのいずれかに設定するものである。
すなわち、所定時間以上に渡って入力部２１，通信部２９に対する入力（外部入力）が中断されている場合であって、端末機器１１が表示処理以外の処理を行っていないとき、モード制御部３０は、端末機器１１の省電力を図るために、端末機器１１をセーブモード（省電力モード）とするようになっている。そして、セーブモード中、入力部２１に対して何らかの入力（アクション）がなされた場合、モード制御部３０は、端末機器１１を通常モードに復帰させるように設定されている。
【００６５】
ここで、通常モードとは、端末機器１１の全ての部材に電源が入り、待機時間を経ることなく、外部入力（ユーザーの指示等）に応じて通常の（あるいは全ての）処理を遅滞なく開始できるアイドリング状態（電源の入ったまま処理を待機している状態）、および、表示処理以外の何らかの部材が処理を行っている状態のことである。また、セーブモードとは、表示部の電源がＯＦＦとなるとともに、ハードディスクの回転が停止した状態のことである。
【００６６】
次に、サーバー１２の構成について説明する。図３は、サーバー１２の構成を示す説明図である。この図に示すように、本システムにおけるサーバー１２は、基本制御部３１，外部ネットワーク制御部３２，ＬＡＮ制御部３３，広告データ記憶部３４，広告データ送信部３５，広告データ一時記憶部３６および通信部３７を備えている。
【００６７】
外部ネットワーク制御部３２は、バックボーン１４と端末機器１１との通信を制御するものである。ＬＡＮ制御部３３は、サーバー１２の設置されている施設内における局所的なネットワーク（ＬＡＮ；図示せず）に、サーバー１２を接続させるためのものである。
【００６８】
基本制御部３１は、サーバー１２の全動作を制御するものであり、サーバー１２の中枢部である。すなわち、基本制御部３１は、端末機器１１の指示に応じて各部材を制御し、バックボーン１４と端末機器１１との通信を確立するものである。また、基本制御部３１は、端末機器１１からの指示（信号）に応じて、端末機器１１に対して広告データを送信させる機能も有している。
【００６９】
通信部２９は、サーバー１２と端末機器１１との間における、通信路Ｔを介したデータ通信を実現するための通信インターフェースである。広告データ記憶部３４は、広告データを蓄積するための記憶装置であり、図２に示した広告サーバー１３に相当するものである。
広告データ送信部３５は、広告データ記憶部３４から広告データを読み出して信号Ｄを作成し、通信部３７を介して端末機器１１に伝達するためのものである。広告データ一時記憶部３６は、広告データ送信部３５が通信部３７に広告データを伝達する際、データの一時的な格納に使用するためのメモリである。
【００７０】
次に、本システムにおける広告データ表示について説明する。
本システムでは、図２に示すように、端末機器１１から出力される信号Ｓに基づいて、サーバー１２が、広告データを含む信号Ｄを出力するようになっている。そして、この信号Ｄを受信した端末機器１１が、表示部２８を用いて広告データを表示するように設定されている。
【００７１】
広告データとは、商品・興行物の宣伝や顧客の勧誘，メッセージの伝達を目的とする表示用のデータであり、サーバー１２（サーバー１２の管理者）と契約している企業や商店，行政団体，財団等の広告主によって作成・提供されるものである。
また、本システムの広告データは、動画像，静止画像，音声，テキストテロップ、あるいはこれらの組み合わせから構成されるものである。また、広告データは、表示部２８内に形成される、広告データ用ウィンドウを用いて表示されるようになっている。
【００７２】
また、特に、端末機器１１では、モード制御部３０によって端末機器１１のモードが変更されるときに、一定の条件下で、信号Ｓ・Ｄを送受信して広告データの表示を行うように設定されている。
また、ユーザーは、入力部２１に対して中止指示を入力することで、広告データの表示を停止できるようになっている。
【００７３】
ここで、広告データの表示を行うための構成について説明する。
図１に示すように、端末機器１１の基本制御部２３には、頻度条件設定部４１，表示条件設定部４２，中止指示検出部４３および再送指示検出部４４が備えられている。
【００７４】
頻度条件設定部４１は、ユーザーの指示により、モード変更に対する広告データの表示頻度を定める条件（頻度条件）を設定するものである。すなわち、頻度条件を設定することで、ユーザーは、モード変更の度に広告データを表示させることもできる。また、複数回のモード変更を経るまで、広告データを表示しないように設定することも可能となる。
【００７５】
表示条件設定部４２は、広告データの内容および表示方法に関する条件（表示条件）を設定し、表示条件記憶部２５に記憶させるためのものである。
ここで、表示条件とは、広告データの内容（どのような商品に関する広告であるのか），表示形態（動画像，静止画像，音声，テキストテロップの組み合わせ方、表示画面上での広告データの表示位置等），表示時間等のことであり、ユーザーによってあらかじめ指定されているものである。
【００７６】
図４（ａ）〜（ｃ）は、端末機器１１における広告データの表示形態の例を示す説明図である。図４（ａ）では、静止画像からなる広告データＡを、表示画面上で、他の表示ウィンドウの背面に位置させるようになっている。また、図４（ｂ）では、広告データＡを、他の表示ウィンドウの前面に位置させている。さらに、図４（ｃ）では、他の表示ウィンドウを消去し、表示画面の全面に広告データＡを表示させている。
【００７７】
すなわち、端末機器１１では、基本制御部２３が、モード制御部３０によってモードの変更が行われる際、頻度条件に基づいて、広告データの表示を行うか否かを判断する。
そして、表示を行うと判断した場合に、基本制御部２３は、上記の表示条件を表示条件記憶部２５から読み出す。その後、表示条件を含む信号Ｓを作成し、サーバー１２に送信するように設定されている。
【００７８】
中止指示検出部４３は、端末機器１１において広告データを表示しているとき、ユーザーから入力部２１に入力される、表示の中止指示を検出するものである。そして、この指示の入力を検出した場合、中止指示検出部４３は、基本制御部２３に対して、広告データ表示の中止を指示するように設定されている。
【００７９】
なお、広告データ表示に対する中止指示ーの入力は、広告データ用ウィンドウの端部に設けられている消去ボタンを、入力部２１のマウスによってクリックすることで行えるようになっている。
また、再送指示検出部４４については後述する。
【００８０】
また、図３に示すように、サーバー１２の基本制御部３１は、広告データ設定部５１，広告料計算部５２，接続料計算部５３，ユーザー情報記憶部５４を備えている。
【００８１】
ユーザー情報記憶部５４は、端末機器１１のユーザーからあらかじめ取得しているユーザーの個人情報と、端末機器１１に対する広告データの表示履歴情報とを含む情報（ユーザー情報）を記憶しているものである。
【００８２】
ユーザーの個人情報とは、例えば、端末機器１１のユーザーとなりえる人（端末機器１１の設置されている家庭の構成員等）の国籍，年齢，性別，障害の有無等のことであり、サーバー１２にあらかじめ伝達されている情報のことである。また、この個人情報には、端末機器１１のユーザーとサーバー１２の管理者との間で定められた、広告内容の制約に関する情報や利用ウェブサイト・コンテンツの情報等を含んでいる。
なお、これらの個人情報は、ユーザーの変更指示を受けたとき、また、ユーザーがサーバー１２を利用したときに、随時的に更新されるものである。
【００８３】
また、表示履歴情報とは、端末機器１１から過去に送信された信号Ｓ内の表示条件に関する統計的な情報のことであり、広告データ設定部５１によってまとめられるものである。
【００８４】
広告データ設定部５１は、信号Ｓに含まれている表示条件に基づいて、広告データ記憶部３４から広告データを選択し、その表示形態・表示時間を設定（変換）するものである。
なお、これら広告データの内容選択，表示形態・表示時間の設定は、表示条件を満足させる範囲内で、上記したユーザー情報を鑑みて行われる。
【００８５】
すなわち、広告データ設定部５１は、表示条件だけでは広告内容，表示形態・表示時間を特定できない場合、ユーザー情報に基づいて、これらを決定するように設定されている。
ここで、ユーザー情報に基づく決定（選択）とは、例えば、ユーザーに年配者が含まれている場合には、旅行や医療に関する内容の広告を選択したり、同じく幼児が含まれていれば、育児用品等の広告を選んだりするといったことである。また、目（耳）の不自由なユーザーを含む場合には、表示形態として、音声（画像）のみの形態を選択することもできる。
【００８６】
そして、広告データ設定部５１は、上記のように設定した広告データの内容，表示形態・表示時間を、上記した広告データ送信部３５に伝達するようになっている。
【００８７】
広告データ送信部３５は、広告データ設定部５１からの伝達事項に応じて、送信すべき広告データを広告データ記憶部３４から読み出す。次に、広告データ送信部３５は、端末機器１１に対して広告データの表示方法を示すために、広告データ設定部５１において設定された表示形態・表示時間を含むデータ（表示方法データ）を作成する。
【００８８】
その後、広告データ送信部３５は、読み出した広告データと表示方法データとから、図５に示すような信号Ｄを作成し、通信部３７を介して端末機器１１に伝達するようになっている。
この図に示すように、広告データは、動画像データ（ＭＰＥＧ１・２等），静止画像データ（ＪＰＥＧ等），音声データ（ＭＰＥＧ−ＡＵＤＩＯ等）から構成される。また、広告データ内に、エラーチェックやシステムデータを含むデータや、データの送受信に用いるヘッダを含ませてもよい。
なお、広告料計算部５２・接続料計算部５３の機能については後述する。
【００８９】
また、図１に示すように、端末機器１１の表示情報制御部２４は、表示方法判定部４５，再送データ制御部４６を備えている。
【００９０】
表示方法判定部４５は、サーバー１２から送信された信号Ｄに含まれている表示方法データを解析して、広告データの表示方法を取得する。
【００９１】
そして、表示情報制御部２４は、表示方法判定部４５によって取得した表示方法に応じた表示を行えるように広告データを変換しながら、表示データとして表示制御部２７に伝達するようになっている。
【００９２】
なお、本システムでは、表示制御部２７に対する広告データ（シーケンシャルデータ）の伝達を、ストリーミング処理を用いて行うようになっている。このストリーミング処理では、端末機器１１が、広告データをダウンロードしながら表示するようになっている。
【００９３】
すなわち、表示情報制御部２４は、通信部２９から入力した信号Ｄを、受信した部分（ブロック）毎に表示情報一時記憶部２６に記憶させて解析・変換処理を行い、部分毎に表示制御部２７に伝達するように設定されている。また、このとき、表示情報制御部２４は、表示情報一時記憶部２６を、表示制御部２７に伝達する広告データのバッファとして使用することもある。また、表示制御部２７に伝達された広告データは、表示の終了後、順次的に破棄（削除）されることとなる。
【００９４】
次に、本システムにおける広告データ表示の動作について説明する。
図６は、この動作を示すフローチャートである。この図に示すように、端末機器１１の基本制御部２３は、モード制御部３０によって端末機器１１のモード変更がなされる際（Ｓ１）、モード制御部３０によるモード変更動作をいったん停止させる。そして、頻度条件に基づいて、広告データを表示するか否かを判断する（Ｓ２）。そして、表示しないと判断した場合には、モード制御部３０を制御してモード変更を実行させ（Ｓ１２）、処理を終了する。
【００９５】
一方、広告データを表示すると判断した場合、基本制御部２３は、まず、現在のモード（変更前のモード）の種類を判断する。そして、セーブモードであると判断した場合には、基本制御部２３は、モード制御部３０を制御してモード変更を実行させる（Ｓ４）。これにより、端末機器１１は、広告データの表示の際、必ず通常モードとなる。
【００９６】
次に、基本制御部２３は、表示条件設定部４２によって設定された表示条件を含む信号Ｓを作成し、サーバー１２に送信する（Ｓ５）。
【００９７】
この信号Ｓを受けて、サーバー１２の基本制御部３１は、広告データ設定部５１を制御して、広告データの内容，表示形態・表示時間を設定させる（Ｓ６）。その後、基本制御部３１は、広告データ送信部３５を制御して信号Ｄを作成させ、通信部３７を介して端末機器１１に伝達させる（Ｓ７）。
【００９８】
この信号Ｄを受けて、端末機器１１の基本制御部２３は、表示情報一時記憶部２６を介して、信号Ｄを表示情報制御部２４に伝達する。表示情報制御部２４は、表示方法判定部４５を制御して広告データの表示方法を反転させる。そして、その表示方法に応じて広告データを変換し、表示データとして表示制御部２７に出力する。そして、表示制御部２７が、この広告データを表示部２８に表示させる（Ｓ８）。
【００９９】
その後、広告データの表示が終了した場合、あるいは、中止指示検出部４３によってユーザーによる中止指示入力が検出された場合には（Ｓ９）、基本制御部２３は、サーバー１２に、広告データの表示を終了あるいは中断した旨を伝える信号（終了信号，中断信号）を出力する（Ｓ１０）。
【０１００】
次に、基本制御部２３は、Ｓ３・Ｓ４においてモードを変更したか否かを判断する（Ｓ１１）。そして、既にモードを変更している場合には、そのまま処理を終了する。一方、モードを変更していない場合には、モード制御部３０を制御して端末機器１１のモードを変更させた後（Ｓ１２）、処理を終了する。
【０１０１】
以上のように、端末機器１１は、基本制御部２３が、モードの切り替わり時に、表示情報制御部２４，表示情報一時記憶部２６，表示制御部２７，表示部２８等を制御して、広告データの表示を行うようになっている。これにより、端末機器１１では、ユーザーに対し、非常に効果的に広告データの表示を行える。
【０１０２】
すなわち、端末機器１１では、しばらくのあいだ中断していた端末機器１１を用いての作業を再開するとき（通常モードへの復帰時）、あるいは、端末機器１１の前で他の作業をしているとき（セーブモードへの移行時）に、ユーザーに対して広告データを表示できる。
【０１０３】
これにより、インターネットへの接続時等に広告データ表示を行う構成に比して、広告データの表示頻度を高められる。また、特に、ユーザーの入力によってセーブモードから通常モードに復帰するときには、ユーザーは、端末機器１１の前に必ず位置することになる。従って、このときには、ユーザーに対して、広告データを確実に表示することが可能となる。
【０１０４】
また、端末機器１１は、外部装置との間でデータの送受信を行う通信部２９を備えている。そして、基本制御部２３が、広告データの表示を行う際、この通信部２９を制御して、広告データを保持しているサーバー１２から広告データを取得し、取得した広告データを用いて広告データの表示を行うように設定されている。
これにより、外部から得た広告データを用いて広告データ表示を行えるため、端末機器１１内の記憶装置に広告データをあらかじめ記憶しておく必要がない。従って、広告データの表示を行っていないときには、記憶装置を他の処理に使用できる。
【０１０５】
また、端末機器１１では、基本制御部２３が、広告データの取得および表示を、ストリーミング処理により行うように設定されている。これにより、広告データを記憶するための記憶装置（表示情報一時記憶部２６）の容量を小さくできるので、端末機器１１の製造・運転コストを低減できる。
【０１０６】
また、端末機器１１の基本制御部２３は、ユーザーの指示により、広告データの表示頻度を定める頻度条件を設定する頻度条件設定部４１を備えている。そして、基本制御部２３が、この頻度条件に従って広告データの表示を行うように設定されている。
【０１０７】
これにより、ユーザーが、広告データに興味を持っていない、あるいは、端末機器１１を用いての他の処理を早急に実行したい場合等において、広告データの表示頻度を下げられる。従って、ユーザーの利便性を向上できる。
【０１０８】
また、端末機器１１の基本制御部２３は、広告データの内容あるいは表示方法の少なくとも一方を指定する表示条件を、ユーザーの指示によりあらかじめ設定しておくための頻度条件設定部４１を備えている。そして、基本制御部２３は、この表示条件に応じた広告データの表示を行うように設定されている。
【０１０９】
これにより、ユーザーは、興味のある内容の広告データを選んで表示させることが可能となる。また、ユーザーは、画像（音声）だけで広告データを表示する等、自分の望む表示方法で広告データを表示させられる。すなわち、ユーザーの所望とする広告データを表示できるので、広告効果を高められる。
【０１１０】
また、端末機器１１の基本制御部２３は、ユーザーによる広告データ表示の中止指示を検出する中止指示検出部４３を備えている。そして、基本制御部２３が、この中止指示に応じて広告データの表示を中止するように設定されている。
【０１１１】
これにより、ユーザーは、表示中の広告データに興味を持っていない、あるいは、端末機器１１を用いての他の処理を早急に実行したい場合等に、広告データの表示を中止できる。従って、ユーザーの利便性を向上できる。
【０１１２】
また、本システムにおけるサーバー１２は、端末機器１１に対して外部から広告データを供給するものである。すなわち、サーバー１２は、端末機器１１と通信可能に設定されており、広告データを記憶している広告データ記憶部３４と、端末機器１１からの要求に応じて、端末機器１１に広告データを送信する広告データ送信部３５および基本制御部３１とを備えている構成である。
このようなサーバー１２を用いることにより、端末機器１１に対する広告データの供給を容易に行うことが可能となる。
【０１１３】
また、本システムでは、サーバー１２は、通信路Ｔに接続されている全ての端末機器１１に広告データを配信できるように設定されている。これにより、一般不特定多数のユーザー（端末機器１１のユーザー）に対して広告表示を行えるようになっている。
【０１１４】
また、サーバー１２の基本制御部３１は、端末機器１１のユーザーに関するユーザー情報を記憶しているユーザー情報記憶部５４を備えている。そして、広告データ設定部５１が、端末機器１１から送信された表示条件とユーザー情報とに基づいて、端末機器１１に送信する広告データ（広告データの内容および表示方法の少なくとも一方）を決定するように設定されている。
【０１１５】
これにより、サーバー１２は、端末機器１１のユーザーの好みに応じた広告データを端末機器１１に提供できるので、広告効果を向上させられる。
【０１１６】
ここで、図３に示した広告料計算部５２について説明する。
広告料計算部５２は、端末機器１１に対する広告データ表示の統計をとり、その結果に応じて広告料を算出するものである。すなわち、広告料計算部５２は、所定期間（年間，月間，週間等）内において端末機器１１で表示された広告データの表示形態・表示時間をまとめて表示結果情報を作成し、これに基づいて広告料を算出するものである。
【０１１７】
なお、この算出に用いられる表示時間としては、端末機器１１における実際の表示時間、すなわち、サーバー１２による信号Ｄの送信時から端末機器１１による終了・中断信号の送信時までの時間を用いるように設定されている。
また、広告主に対する広告料の請求は、ＬＡＮ制御部３３や外部ネットワーク制御部３２を介して、基本制御部３１によって行われる。
【０１１８】
また、接続料計算部５３は、広告料計算部５２において作成された表示結果情報に基づいて、端末機器１１のユーザーに対する接続料金（通信料金を含んでいてもよい）を決定するためのものである。
【０１１９】
すなわち、本システムでは、端末機器１１のユーザーは、バックボーン１４に接続するためのプロバイダーとしてサーバー１２を用いるために、サーバー１２の管理者に、接続料金（通信料金）を支払うように設定されている。そして、本システムでは、接続料計算部５３が、端末機器１１に表示された広告データの表示形態・表示時間（表示結果情報）に応じて、この接続料金を減額するように設定されている。
【０１２０】
すなわち、接続料計算部５３は、所定期間内において表示された広告データのうち、動画像の総表示時間をＴｖ，静止画像の総表示時間をＴｓ、音声の総表示時間をＴｓｐ、テキストのテロップの総表示時間をＴｔとする。さらにそれぞれの重み係数をＷｖ，Ｗｓ，Ｗｓｐ，Ｗｔとする。
【０１２１】
そして、接続料計算部５３は、総表示時間と重み係数とを乗じて得られる内積値、すなわち、
Ｔ＝Ｗｖ・Ｔｖ＋Ｗｓ・Ｔｓ＋Ｗｓｐ・Ｔｓｐ＋Ｗｔ・Ｔｔ  …  （１）
を計算する。その結果、このＴが所定の閾値Ｔｔｈ０以上となる場合（Ｔ≧Ｔｔｈ０）、広告データを効果的に表示できたと判断し、一定額の金額を接続料金から減額するようになっている。
【０１２２】
また、接続料計算部５３は、Ｔｖ，Ｔｓ，Ｔｓｐ，Ｔｔの各値が、それぞれの所定の閾値Ｔｔｈｖ，Ｔｔｈｓ，Ｔｔｈｓｐ，Ｔｔｈｔ以上となった場合にも、上記と同様に、広告データを効果的に表示できたと判断し、一定額の金額を接続料金から減額するように設定されている。
なお、この場合は、Ｔｖ，Ｔｓ，Ｔｓｐ，Ｔｔの１つに乗ずる重み係数を１とし、他の重み係数を０として、上記の式（１）を計算したことになる。
【０１２３】
本システムでは、サーバー１２において、このような接続料の減額を行うようになっているので、ユーザーが広告データをより積極的に表示させる（参照する）ようになる。これにより、広告効果を向上できる。
【０１２４】
次に、図１に示した端末機器１１の基本制御部２３に含まれている、再送指示検出部４４について説明する。
【０１２５】
本システムでは、端末機器１１のユーザーの指示により、サーバー１２に対し、いったん表示された広告データの再表示を要求できるようになっている。そして、再送指示検出部４４は、ユーザーによる再表示の指示（再送指示）を検出し、基本制御部２３に伝達するものである。
なお、再送指示の入力は、再送してほしい広告データの表示中に、広告データ用ウィンドウに表示されている再送ボタンをマウスでクリックすることにより行える。
【０１２６】
再送指示を受けた基本制御部２３は、中断・終了信号の出力後、サーバー１２に対し、該当広告データの再送を希望する旨の信号（再送要求信号）を生成し、通信部２９を介してサーバー１２に送信する。そして、サーバー１２の基本制御部３１は、この信号に基づいて、該当広告データを含む信号Ｄを再作成し、端末機器１１に伝達するようになっている。
これにより、ユーザーは、資料としての（あるいは著作物としての）広告データを再取得することが可能となる。
【０１２７】
なお、本実施の形態では、端末機器１１が、モードの変更時に、サーバー１２に記憶されている広告データを取得して表示するとしている。しかしながら、これに限らず、端末機器１１の内部に記憶されている広告データを表示するようにしてもよい。これにより、端末機器１１とサーバー１２との通信にかかる費用・時間を節約できる。
また、この場合、基本制御部２３は、表示情報制御部２４を制御して、表示条件に基づいた広告データ表示を行えるように、広告データを変換させるようになる。
【０１２８】
また、本実施の形態では、端末機器１１が、通常モードからセーブモードへの復帰時、および、セーブモードから通常モードへの移行時に、広告データの表示を行うとしている。しかしながら、これに限らず、通常モードからセーブモードへの復帰時、あるいは、セーブモードから通常モードへの移行時のいずれかにおいて、広告データを表示するように設定してもよい。
【０１２９】
また、基本制御部２３は、端末機器１１の起動・終了もモニターするようになっていることが好ましい。そして、端末機器１１の起動・終了時に、広告データの表示を行うようにしてもよい。また、基本制御部２３は、広告データにおける表示ウィンドウのサイズや、このウィンドウと他のアプリケーションのウィンドウとの位置関係を設定できることが好ましい。
【０１３０】
また、本実施の形態では、通常モードを、端末機器１１の全ての部材に電源が入り、待機時間を経ることなく、外部入力に応じて通常の処理を遅滞なく開始できるアイドリング状態、あるいは、表示処理以外の処理を行っている状態であるとしている。また、セーブモードを、表示部の電源がＯＦＦとなるとともに、ハードディスクの回転が停止した状態のことであると説明している。
【０１３１】
しかしながら、端末機器１１における通常モード，セーブモードは、上記のような状態に限られることはない。
例えば、通常モードを、端末機器１１の主要な部材（基本制御部２３，表示情報制御部２４等）に電源の投入されている状態に設定してもよい。また、セーブモードを、消費電力の大きい部材（ハードディスク，スクリーン，ＣＰＵ（基本制御部２３，表示情報制御部２４等）など）の電源をＯＦＦとする状態としてもよい。また、部材の一部（表示部２８のスクリーン等）の保護を図っている状態としてもよい。
【０１３２】
なお、セーブモードは、通常モードよりも消費電力が小さくなる状態、あるいは、部材の一部の保護を図っている状態であれば、どのような状態に設定されていてもよく、例えば、ＣＰＵの動作クロックを落とした状態でもよい。
【０１３３】
また、セーブモードにおいてスクリーンの保護を図る場合には、モード制御部３０は、表示情報制御部２４に対し、スクリーンセーブモードとなることを伝達する。これを受けて、表示情報制御部２４は、ハードディスクに記憶されている動画像データを読み出して、表示データとして表示制御部２７に伝達し、表示部２８に表示させるようになる。
【０１３４】
また、本実施の形態では、モード制御部３０が、ユーザーの使用状態、および、自身の駆動状態に応じて、端末機器１１を、通常モードあるいはセーブモードのいずれかに設定するとしている。しかしながら、これに限らず、モード制御部３０が、これら以外の他のモードに端末機器１１を設定できるようになっていてもよい。
【０１３５】
また、本実施の形態では、端末機器１１における基本制御部２３が、広告データの取得および表示を、ストリーミング処理により行うとしている。しかしながら、これに限らず、基本制御部２３による広告データの取得・表示処理は、どのようなものであってもよい。
【０１３６】
しかしながら、この処理は、表示の終了した広告データの保存を防止する（回避する）ような処理であることが好ましい。例えば、基本制御部２３は、広告データをいったん表示情報一時記憶部２６あるいはハードディスクに記憶した後、表示の終了後に破棄するように設定されいていることが好ましい。これにより、広告データの不要な蓄積を防止できるので、表示情報一時記憶部２６の容量を小さくできる。
【０１３７】
また、本実施の形態では、減額料計算部５３が、式（１）を用いて、広告データの表示時間に基づいて減額料を設定するとしている。しかしながら、これに限らず、減額料計算部５３を、広告データの表示回数に基づいて、減額料を算出するように設定してもよい。
このように設定すれば、所定期間内における広告データの表示の頻度に基づいて、減額料を計算できる。また、この構成では、端末機器１１に完全（最後まで）に表示できなかった広告データのある場合には、広告の効果が不十分であると考えられる。このため、この広告データの表示を表示回数に含めないように設定することが好ましい。
【０１３８】
また、減額料計算部５３を、広告データの内容に応じて減額料を算出するように設定してもよい。また、一定時間（あるいは一定回数）以上の広告データの行われた場合には、減額料金を定額とするようにしてもよい。
【０１３９】
また、本実施の形態では、端末機器１１のユーザーは、再送指示を入力することにより、所望の広告データを再表示させられるようになっている。
ここで、本システムにおいて、再送指示に応じて広告データを表示する場合には、端末機器１１のユーザーに対し、広告データの表示にかかる料金を請求する（接続料金に対し、広告データの再表示に関する課金を行う）ように設定することもできる。
【０１４０】
また、この場合には、再送指示によらずに通常に表示する広告データ内に、保存禁止信号（広告データの保存を妨害する信号）を含ませることが好ましい。この場合、端末機器１１のユーザーは、所望の広告データを端末機器１１内に保存するために、再送指示を出力して料金を支払うことが必要となる。
【０１４１】
また、広告データの再送処理を、図１に示した再送データ制御部４６を用いて行うようにしてもよい。この再送データ制御部４６は、ユーザーによって広告データの再送指示がなされた場合、まず、再送される広告データを表示するか、あるいは端末機器１１内に保存するかの選択をユーザーに行わせる。そして、選択結果に応じた処理を実行するように設定されている。
【０１４２】
なお、この処理は、一般的なデータをＷＷＷ（World Wide Web) のサイトからダウンロードする際の処理（一般的なブラウザによって行われる処理）と同様のものである。
【０１４３】
また、再送データ制御部４６は、広告データを、ハードディスクにおけるユーザーの望む領域（フォルダーやデスクトップ等）に保存できるように設定されている。
【０１４４】
また、再送データ制御部４６は、映像データや音声データのように容量の大きくなりがちなものを再取得する場合は、事前に、確保すべき必要なメモリ容量を表示部２８に表示することもできる。また、広告データ記憶部３４は、広告データの再送が課金対象になっている場合、その料金を表示することもできる。
【０１４５】
なお、広告データの内容は、サーバー１２（広告提供側）の思惑により、適宜変更されるものである。従って、再送データ制御部４６は、再送指示に応じて、例えば、選択された広告データにおける最新のもの（最新版の広告データ）を要求する指示を、再送要求信号に含ませるようになっていてもよい。
この場合、サーバー１２では、再送要求信号に応じて、広告データ設定部５１において、端末機器１１に送信した最新版の広告データをピックアップし、端末機器１１に送信するようになる。
【０１４６】
また、本システムでは、通信路Ｔを、デジタル方式の公衆通信回線としている。しかしながら、これに限らず、通信路Ｔを、公衆回線（アナログ、デジタル、無線、有線）、衛星通信、ＣＡＴＶ、専用回線、移動体通信のいずれかから構成してもよい。また、通信路Ｔとして、ネットワークの一部を用いてもよい。さらに、通信路Ｔとして、インターネットを用いることもできる。この場合、サーバー１２は、インターネットを介してサーバー１２にアクセス（接続）している端末機器１１における一般不特定多数のユーザーに対して、広告を表示できることとなる。
【０１４７】
また、本実施の形態では、サーバー１２と広告サーバー１３とが一体的に構成されており、広告サーバー１３がサーバー１２に含まれているとしている。しかしながら、これに限らず、広告サーバー１３を含まないサーバー１２のみで全ての処理を実行させることも可能である。しかしながら、広告サーバー１３を用いると、サーバー１２の負荷を軽減できるという利点がある。
【０１４８】
また、表示情報制御部２４は、信号Ｄに含まれている表示方法データに基づいて、広告データを変換するとしている。しかしながら、これに限らず、表示情報制御部２４が、プラグインを含むブラウザを用いて広告データを表示するようにしてもよい。ブラウザは、動画像，静止画像，テキスト，音声等の表示を司るソフトウェアであり、プラグインを用いて、表示方法データに基づいた広告データ表示を行えるものである。
また、端末機器１１における広告データの表示頻度は、モード変更の回数と広告データ表示の回数との比率であるともいえる。
【０１４９】
また、本実施の形態では、端末機器１１における広告データの要求・表示処理（信号Ｓの生成・出力，信号Ｄの解析，広告データの変換等）を、基本制御部２３，表示情報制御部２４の制御により行うとしている。また、サーバー１２における広告データの設定・送信処理を、基本制御部３１，広告データ送信部３５の制御により行うとしている。
【０１５０】
しかしながら、これに限らず、これらの処理を行うためのプログラムを記録媒体に記録し、このプログラムを読み出すことのできる情報演算装置を、基本制御部２３，表示情報制御部２４，基本制御部３１，広告データ送信部３５に代えて用いるようにしてもよい。
【０１５１】
この構成では、情報演算装置の演算装置（ＤＳＰ，ＣＰＵ，ＭＰＵ等）が、記録媒体に記録されているプログラムを読み出し、広告データの要求・表示処理、および、広告データの設定・送信処理を実行する。従って、このプログラム自体が、端末機器１１の広告データの要求・表示処理、および、サーバー１２における広告データの設定・送信処理を実現するといえる。
【０１５２】
ここで、上記の情報演算装置としては、一般的なコンピューター（ワークステーションやパーソナルコンピューター）の他に、コンピューターに装着される、機能拡張ボードや機能拡張ユニットを用いることができる。
【０１５３】
また、上記のプログラムとは、画像処理を実現するソフトウェアのプログラムコード（実行形式プログラム，中間コードプログラム，ソースプログラム等）のことである。このプログラムは、単体で使用されるものでも、他のプログラム（ＯＳ等）と組み合わせて用いられるものでもよい。また、このプログラムは、記録媒体から読み出された後、装置内のメモリ（ＲＡＭ等）にいったん記憶され、その後再び読み出されて実行されるようなものでもよい。
【０１５４】
また、プログラムを記録させる記録媒体は、情報演算装置と容易に分離できるものでもよいし、装置に固定（装着）されるものでもよい。さらに、外部記憶機器として装置に接続するものでもよい。
【０１５５】
このような記録媒体としては、ビデオテープやカセットテープ等の磁気テープ、フロッピーディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリなどを適用できる。
【０１５６】
また、ネットワーク（イントラネット・インターネット等）を介して情報演算装置と接続されている記録媒体を用いてもよい。この場合、情報演算装置は、ネットワークを介するダウンロードによりプログラムを取得する。すなわち、上記のプログラムを、ネットワーク（有線回線あるいは無線回線に接続されたもの）等の伝送媒体（流動的にプログラムを保持する媒体）を介して取得するようにしてもよい。なお、ダウンロードを行うためのプログラムは、装置内にあらかじめ記憶されていることが好ましい。
【０１５７】
また、本発明の情報処理装置（端末機器１１）を、装置の駆動状態に応じて、装置のモードを、通常モードとセーブモードとのいずれかに設定するモード制御部と、広告データを表示するための表示部と、モードの変更時に、表示部を制御して広告データを表示させる制御部とを備えている構成である、と表現することもできる。
【０１５８】
また、本発明の情報処理装置（端末機器１１）を、駆動状態に応じて、自身のモードを、通常モードとセーブモードとのいずれかに設定するようになっている情報処理装置において、広告データを表示するための表示部と、モードの切り替わり時に、表示部を制御して、広告データの表示を行う制御部とを備えている構成である、と表現することもできる。
【０１５９】
また、特開平１１−３０７２号公報の情報ネットワークシステムは、インターネットサービスプロバイダーを利用してインターネットに接続する際に、待ち時間に広告情報を表示できるようにして、待ち時間を有効的に活用できるようにしたものである。さらに、特開平１０−２５４９６６号公報のシステムは、電子ネットワーク上から逐次最新の内容の特定の種類のコンテンツデータをダウンロードして表示することにより、ユーザーが常時最新のコンテンツデータを見ることが可能なものである。
【０１６０】
上記公報の技術では、情報端末内にローカルに保存された広告情報を表示させるものであるために、情報端末内に記憶部が必要となり、コストがかかる。また、本発明は、従来技術に記載されている『インターネットのＷＷＷページにアクセスするまでの間に発生する待ち時間』に広告情報を提供するものとは異なり、『情報端末において暫くの間操作していない状態（例えばスクリーンセーバー起動時やパワーセーブモード時）から復帰したとき、もしくは暫くの間操作しない状態に入ることを検出したとき』に広告情報の提供を行うものである。特に、情報端末がインターネットに常時接続されている場合では、従来技術に記載された場合の他にも、本発明に示した場合において、広告データを表示すると情報端末の使用者が広告を見る可能性が高く、より放映効果を期待することができる。
【０１６１】
また、特開平１０−１４９３２８号公報の技術は、単独のコンピューター上のスクリーンセーバーでメッセージを表示する機能と、ＬＡＮ上でメッセージを伝える機能とを備え、ＬＡＮ上でのクライアントコンピューター使用者に前記スクリーンセーバー機能とメッセージ伝達機能とを同時に提供して、さらにメッセージデータとスクリーンセーバー表示データとをコンピューターネットワークで一括管理するシステムを提供している。なお、本発明における広告データはスクリーンセーバーの切り替えタイミングにおいて広告データを表示するものであり、スクリーンセーバー自体をネットワークから取得するものではない。
【０１６２】
また、特開平１０−１４９３２８号公報の技術は、ＬＡＮを介したデータの配信に関するものである。これに対し、本発明は、インターネット等、ＬＡＮの範疇を超えたネットワークに関するものである。また、ＬＡＮにおける使用の場合、目的も自ずと限定される性格をもっており、この点からも、上記公報の技術は、一般不特定多数者に対する広告を行える仕組みを提供する本発明と趣が異なるものである。さらに、この公報の技術では、サーバーから、スクリーンセーバーあるいはメッセージのデータが配信されるのみであり、映像や音声のデータは配信できない。
【０１６３】
また、本発明のシステムを、ユーザー側の端末機器（情報機器）１１、ネットワークにつながる広告情報提供者側のサーバー（情報機器）１２、その間の通信路で構成してもよい。また、端末機器１１で起こった状態の変化などをモニターした結果Ｓ（信号Ｓ）は、通信路を経て、いわゆるアクセスポイントを介してプロバイダーなどの広告情報提供者側のサーバー１２に送られてもよい。
【０１６４】
また、サーバー１２は、信号Ｓに基づいて、その履歴とユーザー側の情報を勘案しながら、広告データの種類や表示の仕方を決め、信号Ｄとして、端末機器１１に対して通信路・アクセスポイントを介して送信してもよい。また、このシステムでは、インターネットを介した情報のやり取りを行う場合、信号Ｓや信号Ｄの送受信を、パケットと呼ばれる一定容量のデータセットを用いて行うことが好ましい。
【０１６５】
また、一般的にＯＳは、省電力を図るために操作が中断された状態が長く続くと、自動的に、省電力モードに入るようにできる。すなわち、再び、何がしかのアクションが当該の情報機器に起こらない限り、ＣＲＴやＨＤＤをオフ状態にしておくなどの策を施せるようにしている。また、ＯＳの起動時、終了時もＯＳなどでモニターされている。表示ウィンドウの表示サイズや、他のアプリケーションのウィンドウとの位置関係もモニターでき、設定できるようになっている。本件で述べているウィンドウの状態のモニターは、パソコンなどの情報機器では、この基本ソフトＯＳで行える。
【０１６６】
また、端末機器１１の基本制御部２３は、端末機器１１のオン・オフ情報から、機器の起動ルーチンや終了ルーチンの実行を行ったり、磁気メモリや光メモリ、光磁気メモリなどの各種メモリの制御や周辺機器の制御や演算や各種ソフトの実行制御など、いわゆるＯＳの部分を含んでいてもよい。また、入力制御部２２（入力検出部）から得られる入力情報の解釈や実行を行うとともに、５分とか１０分とか、ある一定時間入力情報の変化がなかった場合には、中断状態として判定して、中断モードに入ったり、さらにはパワーセーブモードに状態に入るなど、モード制御とモニターとを行うようになっていてもよい。
【０１６７】
また、端末機器１１の基本制御部２３内に、端末機器１１のモードをモニターするモードモニター部を備えてもよい。また、このモードモニター部によって、ユーザーが広告出力の頻度を間引くとかの設定がされている場合には、その情報を表示情報制御部２４に送り、サーバー１２に対して信号Ｓで送るようにしてもよい。
【０１６８】
また、表示情報制御部２４では、基本制御部２３から得られるモード情報に基づいて、表示情報の制御を行うようにしてもよい。この場合、表示情報制御部２４は、例えば、基本制御部２３からの情報で、中断モード（スクリーンセーブモード）に入ったことが分かるとスクリーンセーバーを駆動させて、ハードディスクに保持している表示画像情報を引き出して、表示制御部に送る等の処理を行うようになる。また、表示情報制御部２４は、特定のフォーマットの画像等の情報を表示データに変換し、表示情報一時記憶部（画像・音声一時記憶部）２６に格納するようにしてもよい。
【０１６９】
また、端末機器１１において、セーブモード（あるいは中断モード）に入った時点で広告情報を表示させる際には、ユーザーの過去の端末機器１１の使い方（数人で使っていることもあるが）や、その時点の日時、その他別途分かっているユーザーの各種情報などをあらかじめ記憶させておき、その一部または全部の情報を信号Ｓとして通信制御部に送るようにしてもよい。
【０１７０】
また、インターネットなどネットワークを介してサーバー１２から通信部（通信制御部）２９を通して送られてきた広告データ（広告情報）の信号Ｄには、表示のさせ方の情報と広告データが含まれていてもよい。この場合、端末機器１１では、広告データは、広告データのフォーマットに応じて表示データに変換され、表示制御部２７に送られる。
【０１７１】
また、表示制御部２７は、表示される各種のウィンドウの表示やアイコン，メニュー，ツールバーをはじめ各種表示部品の表示情報を、表示部２８での表示データに変換して表示部２８に送る（表示用メモリに書き込む）ように設定されていてもよい。また、表示情報制御部２４から得られる表示画像情報は、表示のさせ方の情報に基づいて表示データに変換され、表示部に送られてもよい。
【０１７２】
また、信号Ｄを受け取った端末機器１１は、信号Ｄに含まれる表示方法の仕方の情報に従って表示状態を取り、信号Ｄに含まれる画像，テキスト，音声，映像などの内容に応じて表示を行ってもよい。なお、いわゆるブラウザは、これらの表示を司るソフトウェアであり、画像や音声といった表現方法の違いだけでなく、表現される様式に応じて、いわゆるプラグインと呼ばれるソフトウェアで、送られた情報に応じた様式で表示できる。
【０１７３】
また、サーバー１２あるいは広告サーバー１３において、契約時などでプロバイダー側で別途得たユーザー情報、例えば、広告内容の制約情報、家族構成、利用ウェブサイトやコンテンツなどの情報や、信号Ｓに基づいて出力するタイミングや出力内容を決めるようにしてもよい。
【０１７４】
また、広告サーバー１３を、ＬＡＮで他のサーバー等と接続されており、上記ユーザー情報、広告データ、課金データ（減額分等）などを更新とかのやりとりをするようにしてもよい。また、広告データは大容量ディスクシステムを含むストレージシステムと連結されていることが多いが、広告サーバー１３内でストレージシステムを内蔵した形態としてもよい。
【０１７５】
また、サーバー１２における基本制御部３１において、ＬＡＮを介してやりとりされる広告データの制御を行うとともに、ユーザー情報などから減額料の計算や広告出力の内容を決めるようにしてもよい。ユーザー情報としては、契約時に得た情報や別途使用履歴などから得た情報、信号Ｓのユーザー情報を用いる。また、これらのユーザー情報を、基本制御部２３のユーザー情報記憶部に格納し、都度更新されるようにしてもよい。
【０１７６】
これにより、例えば、家族構成として、年配者が含まれていれば、旅行とか医療の広告をある程度多い回数で出力したり、幼児とかが含まれていれば、育児用品とかの広告を多くするとかのコントロールが行える。また、このユーザー情報は、家族構成が変わったような情報が得られたり、信号Ｓからの都度の情報や、経時的な情報などにより更新される。
【０１７７】
また、サーバー１２では、信号Ｓから、広告出力の履歴情報や累積情報を得るようにしてもよい。この構成では、広告出力が静止画のみだとか、音声広告も含まれるとか、音声付きの映像広告が多いとか、テロップのようなテキストベースのみだとか、広告の出力の内容毎の頻度分布により広告出力の程度が分かるため、この頻度分布を基に減額料の計算を行える。その内訳により減額料を算定するやり方もあるが、一定量以上の出力がなされたら定額分の減額にするなど、減額のし方はいろいろな形で決められる。
【０１７８】
例えば、映像広告を出力して流した月当りの総時間をＴｖ，静止画広告の場合をＴｓ、音声広告の場合をＴｓｐ、テキストのテロップの場合をＴｔとして、それぞれの重み係数を乗じて得た内積値を計算し、Ｔ＝Ｗｖ・Ｔｖ＋Ｗｓ・Ｔｓ＋Ｗｓｐ・Ｔｓｐ＋Ｗｔ・Ｔｔとし、Ｔ≧Ｔｔｈ０ならば広告が有効に実行されたものとして一定額の金額を接続料ないしは通信料から減額するようにしてもよい。
【０１７９】
また、この算定方法は一つとは限らず、例えばＴｓ≧Ｔｔｈｓならば同様に広告が有効に実行されたものとして、上記と同様の一定額の金額を接続料ないしは通信料から減額してもよい。これは、重み係数をＷｓ＝１として、他の重み係数を０として計算したことになる。
【０１８０】
また、時間の代わりに出力の回数を用いて計算することもできる。これは、頻度分布に基づいて計算したことになる。さらに、利用者が広告出力の再送を要求した場合には、契約に基づいて課金することもできる。
【０１８１】
また、広告主（広告元）に対する広告効果の指標として頻度分布をフィードバックする必要がある場合は、常時頻度分布データを更新させる必要があるが、そうでなければ、一定量の広告出力をした後は更新を一時ストップすることもできる。また、上記頻度分布など、広告をどれだけ出力したかは、広告元に対しての広告料請求の材料ともなるから、そのデータはＬＡＮを介して別の広告元向けのサーバーとやりとりをするか、サーバー１２あるいは広告サーバー１３で広告料処理を行う場合には、サーバー１２の基本制御部３１（広告データ設定部５１）で計算等に用いることもできる。
【０１８２】
また、ユーザーが頻繁に中断に入る場合、例えば、中断したと判断する入力のない状態の時間間隔を短く設定した時とか、時々にしか入力を行わないような使い方の場合などには、中断検出（通常モードからセーブモードへの変更）が頻繁に起こる。このような場合、広告データ設定部５１では、データの出力を間引いたり、ストップしたり、あるいは、音声広告やテロップ広告などに変えるとか、利用者との契約に基づく範囲内で出力の工夫を行える。
【０１８３】
また、端末機器１１の表示制御部２７では、通信部２９を介して、広告データをユーザーに提供するために、シーケンシャルデータのストリーミングの処理や映像での音声との同期などのタイミング処理を行うなどにより、通信できるデータの形態にして通信部２９に送るようにしてもよい。
【０１８４】
また、端末機器１１において、信号Ｄに基づいた表示を行っている間に、キーボードの入力やマウスからの新たな入力など、あるいは、タブレット付きの情報機器の場合は、タッチセンサーの入力など、情報機器Ａに対する何がしかの入力や変化を検出したとき、信号Ｄに基づいた表示を終了するようにしてもよい。また、この際、信号Ｄに基づいた表示に入る前の状況に戻るようにしてもよい。
【０１８５】
また、端末機器１１における信号Ｄに基づいたコマーシャル表示を、ユーザーによる端末機器１１の操作が中断されている間とか、端末機器１１の処理の都合上待たざるを得ない状態にのみ実行するようにしてもよい。
また、図４（ｂ）（ｃ）は、図４（ａ）のように広告データが各種のウィンドウに埋もれてしまっているのを、前面および全面に表示した場合を示すということもできる。
【０１８６】
また、図５に示した信号Ｄにおける表示方法データに、提示の繰り返し、表示位置、表示方法を示すデータを含ませてもよい。また、同じく広告データに、映像（ＭＰＥＧ１・２）、静止画（ＪＰＥＧ等）、音声（ＭＰＥＧ−ＡＵＤＩＯ等）などのエラーチェックやシステムデータを含むデータとヘッダとを含ませるようにしてもよい。
【０１８７】
また、本発明の目的は、情報機器において、スクリーンセーバーより復帰時やパワーセーブモードからの立ち上げ時など、情報機器をしばらくの間操作していない状態から復帰させた時に、ネットワークに接続された広告サーバーからの広告データを情報機器に表示することを特徴とする、情報ネットワーク広告システムを提供することにもある。
【０１８８】
また、端末機器１１では、モード制御部３０が、端末機器１１の駆動状態に応じて、端末機器１１のモードを通常モードとセーブモードとの少なくともいずれか一方に設定できるようになっていてもよい。
【０１８９】
また、端末機器１１における広告データの取得および表示処理は、ストリーミング処理に限らず、どのような処理によって行ってもよい。また、この処理は、広告データを再利用できる形で蓄えないように設定されていることが好ましい。また、静止画やテキストの広告データを扱う場合には、ストリーミング処理ではなく、他の処理を行うように設定してもよい。
【０１９０】
また、本実施の形態では、ストリーミング処理を、広告データを再利用できる形態で蓄積することを防止するための一例として示している。従って、静止画やテキスト等、ストリーミング処理において扱いにくいものを表示する場合には、広告データを再利用できる形態で蓄積しない他の処理で行ってもよい。
【０１９１】
また、図１に示した端末機器１１の再送データ制御部４６は、ユーザーが広告の出力を再送要求を出して閲覧・聴取する場合、再送されるファイルの出力あるいは格納の選択をユーザーに行わせ、選択されたファイル処理を実行するものであってもよい。また、再送データ制御部４６では、ユーザーの再送指示が再送指示検出部４４から得られた場合、一般にファイルをウェブからダウンロードする際の処理と同様に、格納するか出力を実行するか選択して、ユーザーが選択した処理を実行するように設定されていてもよい（一般のブラウザで行うファイルの処理である）。
【０１９２】
また、広告データの内容は、広告提供側（サーバー１２，広告サーバー１３）の思惑により都度異なる場合もあり、もう一度見たいと思っても、次の段階で内容が変わることもある。また、広告データを格納して置きたい場合もあり、格納する目的で広告データを再度提供させたいこともある。再送データ制御部４６は、再送指示検出結果に呼応して、例えば、一番最近の広告内容の再送要求を信号Ｓの送信により行うようになっていてもよい。この場合、サーバー１２側では、信号Ｓによる広告再送要求に応じて、広告データ設定部５１において、該当利用者の最近の広告データをピックアップし、送信の処理を行う。広告データがユーザー側（端末機器１１）で格納された場合、課金対象として取扱うべく、広告料計算部５２で課金のための処理を行うこともできる。また、再送された広告の広告主の意向や契約条件に応じて、無料か有料か、あるいは、減額の対象にするかが広告提供側で選択されるようになっていてもよい。
【０１９３】
また、本発明を、以下の第１〜第５の情報ネットワーク広告システム，第１の情報ネットワーク広告方法および第１の記録媒体として表現することもできる。すなわち、第１の情報ネットワーク広告システムは、インターネットに接続可能とされたコンピューターネットワークと、上記インターネットに常時接続可能なコンピューターネットワークのインターネットサーバーと接続される情報端末と、広告情報を提供する広告サーバーとからなる情報ネットワーク広告システムにおいて、前記情報端末において暫くの間操作していない状態（例えばスクリーンセーバー起動時やパワーセーブモード時）から復帰したことを検出した場合には、前記広告サーバーより広告データ（表示データもしくは音声データのうち少なくとも１つである）を、前記情報端末内に一旦記憶させることなく、前記情報端末上に出力する構成である。
【０１９４】
情報機器のユーザーに対して広告情報を提供したいという用途は大きいが、常時垂れ流し的に広告を提供するのではなく、中座から戻ってきた時（復帰時）に広告を流すことによって、情報端末の使用者が広告を閲覧する可能性をより高められ、放映効果が期待できる。また、広告情報を情報端末内に一旦記憶させることなく出力させることで、情報端末内にハードディスク等の記憶装置を余分に持つ必要がなくなり、情報端末のコストを削減できる。
【０１９５】
また、第２の情報ネットワーク広告システムは、第１の情報ネットワーク広告システムにおいて、前記情報端末の使用者が、前記広告データの出力を行うか否かの設定を行うことが可能であり、前記広告データの出力を行う場合には、前記コンピューターネットワークのインターネットサーバーの使用料金（プロバイダー料金）を減額する構成である。
【０１９６】
広告データが一方的に出力されることは、認めがたいものであるが、使用者側が広告データの出力を認めることにより接続料金が減額されれば、使用者側は、納得して広告データの享受を行うことが可能となる。
【０１９７】
また、第３の情報ネットワーク広告システムは、第２の情報ネットワーク広告システムにおいて、前記広告データの出力を行うか否かの設定において、さらに使用者が広告データの出力を間引きする設定を行う（例えば、復帰時においてｎ回に１回だけ広告データを表示させる）ことが可能である構成である。
【０１９８】
中座から戻ってきた際に、常に広告データが表示された場合に、使用者にとって煩雑と感じるケースが考えられ、例えば復帰時においてｎ回に１回だけ広告データを表示させるといった設定を行うことで、使用者は、より納得して広告データの享受を行うことが可能となる。
【０１９９】
また、第４の情報ネットワーク広告システムは、第２あるいは第３の情報ネットワーク広告システムにおいて、前記コンピューターネットワークのインターネットサーバーにおいて、各インターネットサーバーの使用者ごとに、前記広告データの出力時間、出力回数、出力内容の少なくとも１つを記憶する広告データ出力情報記憶手段をさらに備え、前記コンピューターネットワークのインターネットサーバーの使用料金の減額料金を、前記広告データ出力情報記憶手段に記憶された内容に基づいて決定する構成である。これにより、使用者に対しての広告提供量に応じたインターネットサーバーの使用料金の減額を行うことが可能となる。
【０２００】
また、第５の情報ネットワーク広告システムは、第４の情報ネットワーク広告システムにおいて、前記広告データ出力記憶手段において、使用者が使用の時点で出力を行っている広告データの表示を中断した場合には、対象となる広告データは出力情報としてカウントしない構成である。中断がなされた場合には、使用者に対しての広告効果が不十分であるため、出力情報としてカウントしないことで、前記コンピューターネットワークのインターネットサーバーの使用料金の減額を無駄に行わずに済ませることが可能となる。
【０２０１】
また、第１の情報ネットワーク広告方法は、上記した第１〜第５のいずれかの情報ネットワーク広告システムにおける情報ネットワーク広告方法である。さらに、第１の記録媒体は、第１の情報ネットワーク広告方法を実行するプログラムを記載したものである。
【０２０２】
【発明の効果】
以上のように、本発明の情報処理装置（本情報処理装置）は、駆動状態に応じて、自身のモードを、通常モードあるいはセーブモードに設定できるようになっている情報処理装置において、広告データを表示するための表示部と、モードの切り替わり時に、表示部を制御して、広告データの表示を行う制御部とを備えている構成である。
本情報処理装置では、制御部が、広告データを、モードの切り替え時に表示するようになっている。これにより、本情報処理装置では、ユーザーに対し、非常に効果的に広告データの表示を行える。
【０２０３】
すなわち、本情報処理装置では、しばらくのあいだ中断していた本情報処理装置を用いての作業を再開するとき（通常モードへの復帰時）、あるいは、本情報処理装置の前で他の作業をしているとき（セーブモードへの移行時）に、ユーザーに対して広告データを表示できる。
【０２０４】
これにより、インターネットへの接続時等に広告データ表示を行う構成に比して、広告データの表示頻度を高められる。また、特に、ユーザーの入力によってセーブモードから通常モードに復帰するときには、ユーザーは、本情報処理装置の前に必ず位置することになる。従って、このときには、ユーザーに対して、広告データを確実に表示することが可能となる。
【０２０５】
また、本情報処理装置は、外部装置との間でデータの送受信を行う通信部を備えていることが好ましい。そして、この構成では、制御部が、広告データの表示を行う際、この通信部を制御して、広告データを保持している外部のサーバーから広告データを取得し、取得した広告データを用いて広告データの表示を行うように設定されていることが好ましい。
これにより、外部から得た広告データを用いて広告データ表示を行えるため、広告データをあらかじめ記憶しておく必要がない。従って、広告データの表示を行っていないときには、記憶装置を他の処理に使用できる。
【０２０６】
また、この構成では、制御部は、表示の終了した広告データの蓄積を防止するように設定されていることが好ましい。この構成では、表示を終えた不要な広告データを蓄積しないため、広告データ用の記憶装置の容量を小さくできる。従って、本情報処理装置の製造・運転コストを低減できる。
また、制御部は、広告データの取得および表示を、ストリーミング処理により行ってもよい。これにより、広告データを記憶するための記憶装置の容量をさらに小さくできる。
【０２０７】
また、外部から広告データを得る場合、本情報処理装置に、サーバーから送信され、表示部においていったん表示された広告データの再取得を望む再送指示（ユーザーによる指示）を検知するための再送指示検出部を備えることが好ましい。そして、制御部は、この再送指示に応じて、該当する広告データをサーバーから再取得するように設定されていることが好ましい。
これにより、ユーザーは、資料としての（あるいは著作物としての）広告データを再取得することが可能となる。
【０２０８】
また、本情報処理装置に、ユーザーの指示により、広告データの表示頻度を定める頻度条件を設定する頻度条件設定部を備え、制御部が、この頻度条件に従って広告データの表示を行うように設定されていることが好ましい。
【０２０９】
ここで、頻度条件とは、モード変更に対する広告データの表示頻度を定める条件である。すなわち、このような頻度条件を設定することで、ユーザーは、モード変更の度に広告データを表示させることもできる。また、複数回のモード変更を経るまで、広告データを表示しないように設定することも可能となる。
これにより、ユーザーが、広告データに興味を持っていない、あるいは、本情報処理装置を用いての他の処理を早急に実行したい場合等において、広告データの表示頻度を下げられる。従って、ユーザーの利便性を向上できる。
【０２１０】
また、本情報処理装置に、広告データの内容あるいは表示方法の少なくとも一方を指定する表示条件を、ユーザーの指示によりあらかじめ設定しておくための表示条件設定部を備えることが好ましい。この場合、制御部は、この表示条件に応じた広告データの表示を行うように設定されていることが好ましい。
【０２１１】
ここで、広告データの内容とは、広告データにおいて表示している内容物（広告対象）のことである。また、広告データの表示方法とは、表示形態（動画像，静止画像，音声，テキストテロップの組み合わせ方、表示画面上での広告データの表示位置等），表示時間等のことである。
【０２１２】
これにより、ユーザーは、興味のある内容の広告データを選んで表示させることが可能となる。また、ユーザーは、画像（音声）だけで広告データを表示する等、自分の望む表示方法で広告データを表示させられる。すなわち、ユーザーの所望とする広告データを表示できるので、広告効果を高められる。
【０２１３】
また、本情報処理装置に、ユーザーによる広告データ表示の中止指示を検出する中止指示検出部を備え、制御部が、この中止指示に応じて広告データの表示を中止するように設定されていることが好ましい。
これにより、ユーザーが、表示中の広告データに興味を持っていない、あるいは、本情報処理装置を用いての他の処理を早急に実行したい場合等では、広告データの表示を中止できる。従って、ユーザーの利便性を向上できる。
【０２１４】
また、本発明のサーバー（本サーバー）は、本情報処理装置に対して外部から広告データを供給するものである。すなわち、本サーバーは、本情報処理装置と通信可能に設定されており、広告データを記憶している広告データ記憶部と、本情報処理装置からの要求に応じて、本情報処理装置に広告データを送信する広告データ送信制御部とを備えている構成である。
このような本サーバーを用いることにより、本情報処理装置に対する広告データの供給を容易に行うことが可能となる。
また、本情報処理装置と本サーバーとを通信可能に組み合わせることで、広告データを効果的に表示できるネットワークシステムを構築できる。
【０２１５】
また、本サーバーは、本情報処理装置のユーザーに関するユーザー情報を記憶しているユーザー情報記憶部を備えていることが好ましい。そして、広告データ送信制御部が、このユーザー情報に基づいて、本情報処理装置に送信する広告データ（広告データの内容および表示方法の少なくとも一方）を決定するように設定されていることが好ましい。
【０２１６】
ユーザー情報とは、ユーザーの個人情報と、本情報処理装置に対する広告データの表示履歴情報との少なくともいずれかを含む情報のことである。これにより、本サーバーは、本情報処理装置のユーザーの好みに応じた広告データを本情報処理装置に提供できるので、広告効果を向上させられる。
【０２１７】
また、本情報処理装置が、表示条件に基づいて広告データ表示を行うように設定されている場合、本サーバーは、広告データ送信制御部が、本情報処理装置から送信された表示条件に基づいて、本情報処理装置に提供（送信）する広告データを決定するように設定されていることが好ましい。これにより、表示条件に基づいた広告データ表示を容易に実現できる。
【０２１８】
また、本サーバーは、本情報処理装置を外部ネットワークに接続させるためのプロバイダーとしての機能を有していることが好ましい。そして、この場合には、本サーバーに、所定期間中に情報処理装置において表示された広告データの総量である広告総量を算出し、この広告総量に応じて、情報処理装置に請求する接続料金を減額する接続料計算部を備えていることがさらに好ましい。
これにより、ユーザーが広告データをより積極的に表示させる（参照する）ようになるので、広告効果をさらに向上できる。
【０２１９】
また、この構成では、接続料計算部は、本情報処理装置において完全に表示できなかった広告データのある場合には、この広告データの表示量を広告総量から削除するように設定されていることが好ましい。
【０２２０】
広告データの表示時、ユーザーの判断による表示の中止、あるいは、ネットワークのトラブルによるデータ送信の中断等により、広告データを完全に表示できないこともある。そこで、上記の構成では、接続料金の減額対象となる広告総量から、完全に表示できなかった広告データに関する量を削除するように設定されている。これにより、広告データの減額を適正に行える。
【０２２１】
また、本発明の広告データ表示方法（本表示方法）は、駆動状態に応じて、自身のモードを通常モードあるいはセーブモードに設定できるようになっている情報処理装置における広告データ表示方法であって、情報処理装置のモードの切り替わり時に、この情報処理装置の表示部を用いて広告データの表示を行う広告データ表示工程を含む方法である。
本表示方法は、上記した本情報処理装置において用いられている広告データ表示方法である。すなわち、本表示方法では、情報処理装置におけるモードの切り替え時に、広告データを表示するようになっている。これにより、ユーザーに対し、非常に効果的に広告データの表示を行える。
【０２２２】
また、本表示方法は、外部装置との間でデータの送受信を行う通信部を用いて、広告データを保持している外部のサーバーから広告データを取得する広告データ取得工程を含んでいることが好ましい。そして、広告データ表示工程が、広告データ取得工程において取得した広告データを用いて広告データ表示を行うように設定されていることが好ましい。
これにより、外部から得た広告データを用いて広告データ表示を行えるため、広告データをあらかじめ記憶しておく必要がない。従って、広告データの表示を行っていないときには、情報処理装置の記憶装置を他の処理に使用できる。なお、この方法では、広告データの取得・表示を、上記したストリーミング処理を用いて行うことが好ましい。
【０２２３】
また、本発明の広告データ送信方法（本送信方法）は、本情報処理装置に広告データを送信するための広告データ送信方法であって、本情報処理装置からの要求に応じて、本情報処理装置に広告データを送信する広告データ送信工程を含む方法である。
【０２２４】
本送信方法は、上記した本サーバーにおいて用いられている広告データ送信方法である。本送信方法を用いることにより、本情報処理装置に対する広告データの供給を容易に行うことが可能となる。
【０２２５】
また、本発明の広告データ表示処理のためのコンピュータープログラムを記録した記録媒体は、駆動状態に応じて、自身のモードを通常モードあるいはセーブモードに設定できるようになっている情報処理装置に広告を表示する広告データ表示処理のためのコンピュータープログラムを記録した記録媒体であって、上記情報処理装置のモードの切り替わり時に、この情報処理装置の表示部によって、広告データの表示を行うことを特徴とする広告データ表示処理のためのコンピュータープログラムを記録した記録媒体である。
【０２２６】
また、本発明の広告データ表示処理のためのコンピュータープログラムを記録した記録媒体は、駆動状態に応じて、自身のモードを通常モードあるいはセーブモードに設定できるようになっている情報処理装置に広告を表示する広告データ表示処理のためのコンピュータープログラムを記録した記録媒体であって、上記情報処理装置のモードの切り替わり時に、外部装置との間でデータの送受信を行う通信部を用いて、広告データを保持している外部のサーバーから広告データを取得し、上記の情報処理装置における表示部によって、上記広告データの表示を行うことを特徴とする広告データ表示処理のためのコンピュータープログラムを記録した記録媒体である。
【０２２７】
また、本発明の広告データ送信処理を行うためのコンピュータープログラムを記録した記録媒体は、本情報処理装置に広告データを送信するための広告データ送信処理を行うためのコンピュータープログラムを記録した記録媒体であって、本情報処理装置からの要求に応じて、本情報処理装置に広告データを送信することを特徴とする広告データ送信処理のためのコンピュータープログラムを記録した記録媒体である。
【０２２８】
これらのような記録媒体を、パーソナルコンピューター等の一般的な情報処理装置における制御装置（演算装置）に読み込ませることにより、上記した本広告データ表示方法や広告データ送信方法を容易に実現できる。
【図面の簡単な説明】
【図１】  本発明の一実施形態にかかるネットワークシステムに属する端末機器の構成を示す説明図である。
【図２】  上記のシステムの構成を示す説明図である。
【図３】  図２に示したシステムに属するサーバーの構成を示す説明図である。
【図４】  図４（ａ）〜（ｃ）は、図１に示した端末機器における広告データの表示形態の例を示す説明図である。
【図５】  図３に示したサーバーから、図１に示した端末機器に送信される、広告データを含む信号を示す説明図である。
【図６】  図２に示したシステムにおける広告データ表示の動作の流れを示すフローチャートである。
【符号の説明】
１１    端末機器（情報処理装置）
１２    サーバー
１３    広告サーバー（広告データ記憶部）
２３    基本制御部（制御部）
２４    表示情報制御部（制御部）
２５    表示条件記憶部
２６    表示情報一時記憶部
２７    表示制御部（制御部）
２８    表示部
２９    通信部
３０    モード制御部
３１    基本制御部（広告データ送信制御部）
３４    広告データ記憶部
３５    広告データ送信部（広告データ送信制御部）
３７    通信部
４１    頻度条件設定部
４２    表示条件設定部
４３    中止指示検出部
４４    再送指示検出部
４５    表示方法判定部（制御部）
５１    広告データ設定部（広告データ送信制御部）
５２    広告料計算部
５３    接続料計算部
５４    ユーザー情報記憶部
Ａ      広告データ
ＡＰ    アクセスポイント
Ｓ・Ｄ  信号
Ｔ      通信路
【図１】
0003732411.tif 000002
【図２】
0003732411.tif 000003
【図３】
0003732411.tif 000004
【図４】
0003732411.tif 000005
【図５】
0003732411.tif 000006
【図６】
0003732411.tif 000007